(57)【特許請求の範囲】
【請求項１】
押出し機ヘッド内の温度を設定温度に制御して、ゴム状弾性材料を押出す押出し制御方法であって、
予め押出し状態における押出し機ヘッド内のゴム状弾性材料の温度を測定し、この温度測定データを押出し制御装置のデータベースに蓄積しておき、前記押出し機稼働後の停止時に、押出し機ヘッド内のゴム状弾性材料の温度を温度センサ−により測定し、この測定温度を押出し制御装置の演算装置に入力すると共に、演算装置により予めデータベースに蓄積してある前記押出し状態での温度測定データとを比較演算し、その比較した温度データに基づき、押出し機の再スタート時の押出されるゴム状弾性材料の温度が、押出し状態のゴム状弾性材料の温度となるように加温手段を制御して加温または保温することを特徴とするゴム状弾性材料の押出し制御方法。
【請求項２】
ヘッド内温度を検出する温度センサー及びヘッド内を加温及び保温する加温手段を備えた押出しヘッドと、押出し状態における押出し機ヘッド内のゴム状弾性材料の温度測定データを蓄積するデータベースと、正常状態で押出されている押出し機ヘッド内のゴム状弾性材料の温度と押出し機稼働後の停止時における押出し機ヘッド内のゴム状弾性材料の温度とを比較演算する押出し制御装置の演算装置とからなり、前記演算装置に、押出しヘッド内に設けた温度センサー及び加温手段を接続するようにしたことを特徴とするゴム状弾性材料の押出し制御装置。
【発明の詳細な説明】
【０００１】
【産業上の利用分野】
この発明は、ゴム状弾性材料の押出し制御方法及びその装置に係わり、更に詳しくは簡単な制御方法によって、押出し初期のゴム状弾性材料の形状不良や、単位重量不良を有効に防止させたゴム状弾性材料の押出し制御方法及びその装置に関するものである。
【０００２】
【従来の技術】
従来、ゴム状弾性材料を押出し成形する場合、１ロット当たりの押出し成形が終了すると、押出し機のヘッド内にゴム状弾性材料を残したまま、一旦押出し機を停止する。そして、次のサイズを押し出すために、押出し機を再起動させると、押出し初期はヘッド内に残留していたゴム状弾性材料の影響によって押出し形状不良や、単位重量不良が起きて、リターンが多量に発生すると言う問題があった。
【０００３】
【発明が解決しようとする問題点】
そこで、押出初期の押出し形状不良や、単位重量不良を防止させるために、例えば、特開平４ー１６３２４号公報に開示されているように、押出し機の停止時間をパラメータとして押出し機のスクリュー回転数及びストレッチコンベヤーの速度をコントロールする方法が提案されている。
【０００４】
然しながら、このような従来の方法は、雰囲気温度に影響を受けやすく、しかも複雑な制御を必要とする問題があった。
この発明は、かかる従来の課題に着目して案出されたもので、押出し機ヘッド内のゴム温度及び過去の押出しデータから、押出し機の稼働停止中に、次に押出されるサイズの再スタート時設定ヘッド内ゴム温度を演算装置により算出し、この算出した温度となるように、ヘッド内ゴム温度を加温手段により加温または保温しておき、押出し機を再スタートさせることで、雰囲気温度の影響がなく、かつ複雑な制御をしなくとも、押出し初期の押出し形状不良や、単位重量不良を有効に防止することが出来るゴム状弾性材料の押出し制御方法及びその装置を提供することを目的とするものである。
【０００５】
【課題を解決するための手段】
この発明は上記目的を達成するため、ヘッド内温度を検出する温度センサー及びヘッド内を加温及び保温する加温手段を備えた押出しヘッドと、押出し状態における押出し機ヘッド内のゴム状弾性材料の温度測定データを蓄積するデータベースと、正常状態で押出されている押出し機ヘッド内のゴム状弾性材料の温度と押出し機稼働後の停止時における押出し機ヘッド内のゴム状弾性材料の温度とを比較演算する押出し制御装置の演算装置とからなり、前記演算装置に、押出しヘッド内に設けた温度センサー及び加温手段を接続するようにしたことを要旨とするものである。
【０００６】
【発明の作用】
この発明は上記のように構成され、押出し機ヘッド内の温度を設定温度に制御して、ゴム状弾性材料を押出す押出し制御方法であって、予め押出し状態における押出し機ヘッド内のゴム状弾性材料の温度を測定し、この温度測定データを押出し制御装置のデータベースに蓄積しておき、前記押出し機稼働後の停止時に、押出し機ヘッド内のゴム状弾性材料の温度を温度センサ−により測定し、この測定温度を押出し制御装置の演算装置に入力すると共に、演算装置により予めデータベースに蓄積してある前記押出し状態での温度測定データとを比較演算し、その比較した温度データに基づき、押出し機の再スタート時の押出されるゴム状弾性材料の温度が、押出し状態のゴム状弾性材料の温度となるように加温手段を制御して加温または保温することにより、雰囲気温度の影響がなく、かつ複雑な制御をしなくとも、押出し初期の押出し形状不良や、単位重量不良を有効に防止することが出来るものである。
【０００７】
【発明の実施例】
以下、添付図面に基づき、この発明の実施例を説明する。
図１は、この発明を実施した押出し機１のヘッド２の拡大断面図、図２は図１のＡーＡ矢視側面図を示し、前記ヘッド２の押出し通路３の先端側に収容されたダイス４の周囲には、ヘッド内を加温及び保温する電熱ヒータ等の加温手段５Ａ，５Ｂが埋設されている。
【０００８】
前記加温手段５Ａ，５Ｂは、押出し機１の起動が停止した時に、図示しない検出器からの指令により、スイッチが入るように構成され、また、ヘッド２の先端側内部には、ヘッド内温度を検出する温度センサー６が取付けられ、８は、ダイス４の側面にボルト７により固定されたプレートを示している。
次に、ゴム状弾性材料Ｗの押出し制御方法を、図３の押出し制御装置の概略構成図を参照しながら説明する。
【０００９】
押出し制御装置は、図１〜図３に示すようにヘッド内温度を検出する温度センサー６及びヘッド２内を加温及び保温する加温手段５Ａ，５Ｂを備えた押出しヘッド２と、過去の押出しデータを蓄積するデータベース９と、ヘッド２内を加温及び過去の押出しデータを比較演算する演算装置１０とからなり、前記演算装置１０に、温度センサー６及び加温手段５Ａ，５Ｂを接続すると共に、次に押出されるゴム状弾性材料Ｗに対応した過去の押出しデータとを入力するように接続されている。
【００１０】
次に、押出し制御方法は、予め押出し状態（押出機の定常状態）における押出し機１のヘッド２内のゴム状弾性材料の温度を測定し、この温度測定データを押出し制御装置のデータベース９に蓄積しておく。前記押出し機稼働後の停止時に、押出し機１のヘッド２内のゴム状弾性材料の温度を温度センサ−６により測定し、この測定温度を押出し制御装置の演算装置１０に入力すると共に、演算装置１０により予めデータベース９に蓄積してある前記押出し状態での温度測定データ９Ｄとを比較演算する。
【００１１】
そして、その比較した温度データに基づき、押出し機１の再スタート時の押出されるゴム状弾性材料の温度が、押出し状態のゴム状弾性材料の温度となるように加温手段５Ａ，５Ｂを制御して加温または保温するものである。また、加温手段５Ａ，５Ｂは、両方を使用することが好ましいが、加温手段５Ｂのみでも目標とする効果を得ることが出来るものである。
【００１２】
このようにして、温度制御することにより、雰囲気温度の影響がなく、かつ複雑な制御をしなくとも、押出し初期の押出し形状不良や、単位重量不良を有効に防止することが出来るものである。
【００１３】
【発明の効果】
この発明は、上記のように予め押出し状態における押出し機ヘッド内のゴム状弾性材料の温度を測定し、この温度測定データを押出し制御装置のデータベースに蓄積しておき、前記押出し機稼働後の停止時に、押出し機ヘッド内のゴム状弾性材料の温度を温度センサ−により測定し、この測定温度を押出し制御装置の演算装置に入力すると共に、演算装置により予めデータベースに蓄積してある前記押出し状態での温度測定データとを比較演算し、その比較した温度データに基づき、押出し機の再スタート時の押出されるゴム状弾性材料の温度が、押出し状態のゴム状弾性材料の温度となるように加温手段を制御して加温または保温することにより、従来の方法に較べて、雰囲気温度の影響がなく、しかも従来のように複雑な制御をしなくとも、押出し初期の押出し形状不良や、単位重量不良を有効に防止することが出来、ゴム状弾性材料を無駄にすることなく効率良く押出し成形を行うことが出来る効果がある。
【図面の簡単な説明】
【図１】この発明を実施した押出し機のヘッドの拡大断面図である。
【図２】図１のＡーＡ矢視側面図である。
【図３】押出し制御方法を実施するための    押出し制御装置の概略構成図である。
【符号の説明】
１  押出し機                      ２  ヘッド
３  押出し通路                    ４  ダイス
５Ａ，５Ｂ  加温手段                  ６  温度センサー
７  ボルト                        ８  プレート
９  データベース                １０  演算装置
９Ｄ  押出しデータ
【図１】
0003706651.tif 000002
【図２】
0003706651.tif 000003
【図３】
0003706651.tif 000004